(57)【要約】【課題】映像再生表示システムにおいて、再生装置の電源がオン／オフされた際に表示装置を所望の動作モードに自動的に切り替えて、ユーザにとって使い勝手が良くする。【解決手段】映像再生表示システムは、ＨＤＭＩケーブルで接続されたＴＶ受像機及びＤＶＤプレーヤを含む。ＴＶ受像機の自動切替動作モード情報には、電源オフ通知コマンドを受信したときに、ＴＶ番組表示モードに切り替える設定がされている。ＤＶＤプレーヤの電源ボタンが操作されると（Ｓ１１）、ＤＶＤプレーヤは、電源オフ通知コマンドをＴＶ受像機に送信する（Ｓ１３）。ＴＶ受像機は、ＤＶＤプレーヤから送信された電源オフ通知コマンドを受信し（Ｓ１４）、動作モードをＴＶ番組表示モードに自動的に切り替え（Ｓ１６）、チューナを用いて受信したＴＶの映像及び音声をディスプレイやスピーカに出力する。そして、ＤＶＤプレーヤは電源をオフする（Ｓ１７）。【選択図】図５
2011086992.tif 000002
【特許請求の範囲】
【請求項１】
コンテンツを再生可能な再生装置と、この再生装置に接続され、該再生装置によって再生されたコンテンツを表示する表示装置とを含む映像再生表示システムにおいて、
前記再生装置は、
自装置の電源のオン又はオフを指示するための電源制御ボタンを有し、自装置に各種動作指示を行うための操作手段と、
自装置の電源がオンになった旨を通知するための電源オン通知コマンドや、自装置の電源がオフになる旨を通知するための電源オフ通知コマンドを前記表示装置に送信する電源状態通知コマンド送信手段とを備え、
前記表示装置は、
前記再生装置から送信された前記電源オン通知コマンド及び前記電源オフ通知コマンドを受信するための電源状態通知コマンド受信手段と、
前記再生装置によって再生されるコンテンツを自装置に表示するように動作する再生装置映像表示モードを含む複数の動作モードを有し、自装置の動作モードを切り替える動作モード切替手段とを備え、
前記再生装置は、ユーザによって前記電源制御ボタンが操作されて自装置の電源がオンされるとき、前記電源状態通知コマンド送信手段を用いて前記電源オン通知コマンドを前記表示装置に送信し、
前記表示装置は、前記電源状態通知コマンド受信手段を用いて前記電源オン通知コマンドを受信すると、前記動作モード切替手段を用いて、自装置の動作モードを前記再生装置映像表示モードに切り替え、
前記再生装置は、ユーザによって前記電源制御ボタンが操作されて自装置の電源がオフされるとき、前記電源状態通知コマンド送信手段を用いて前記電源オフ通知コマンドを前記表示装置に送信し、
前記表示装置は、前記電源状態通知コマンド受信手段を用いて前記電源オフ通知コマンドを受信すると、前記動作モード切替手段を用いて、自装置の動作モードを前記再生装置映像表示モードに切り替える直前の動作モードに切り替えることを特徴とする映像再生表示システム。
【請求項２】
コンテンツを再生可能な再生装置と、この再生装置に接続され、該再生装置によって再生されたコンテンツを表示する表示装置とを含む映像再生表示システムにおいて、
前記再生装置は、
自装置の電源のオン又はオフを指示するための電源制御ボタンを有し、自装置に各種動作指示を行うための操作手段と、
自装置の電源がオンになった旨を通知するための電源オン通知コマンドや、自装置の電源がオフになる旨を通知するための電源オフ通知コマンドを前記表示装置に送信する電源状態通知コマンド送信手段とを備え、
前記表示装置は、
前記再生装置から送信された前記電源オン通知コマンド及び前記電源オフ通知コマンドを受信するための電源状態通知コマンド受信手段と、
前記再生装置によって再生されるコンテンツを自装置に表示するように動作する再生装置映像表示モードを含む複数の動作モードを有し、自装置の動作モードを切り替える動作モード切替手段と、
前記電源状態通知コマンド受信手段を用いて前記電源オフ通知コマンドを受信したときに、前記動作モード切替手段を用いて切り替える動作モードを記録するための動作モード記録手段とを備え、
前記再生装置は、ユーザによって前記電源制御ボタンが操作されて自装置の電源がオンされるとき、前記電源状態通知コマンド送信手段を用いて前記電源オン通知コマンドを前記表示装置に送信し、
前記表示装置は、前記電源状態通知コマンド受信手段を用いて前記電源オン通知コマンドを受信すると、前記動作モード切替手段を用いて、自装置の動作モードを前記再生装置映像表示モードに切り替え、
前記再生装置は、ユーザによって前記電源制御ボタンが操作されて自装置の電源がオフされるとき、前記電源状態通知コマンド送信手段を用いて前記電源オフ通知コマンドを前記表示装置に送信し、
前記表示装置は、前記電源状態通知コマンド受信手段を用いて前記電源オフ通知コマンドを受信すると、前記動作モード切替手段を用いて、自装置の動作モードを、前記動作モード記録手段に記録された動作モードに切り替えることを特徴とする映像再生表示システム。
【請求項３】
前記再生装置と前記表示装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１又は請求項２に記載の映像再生表示システム。
【発明の詳細な説明】
【技術分野】
【０００１】
本発明は、再生装置と、この再生装置に接続された表示装置とを含む映像表示システムに関する。
【背景技術】
【０００２】
従来から、ＤＶＤプレーヤと、このＤＶＤプレーヤに接続されたテレビジョン（以下、ＴＶという）受像機とを含む映像表示システムが知られている（特許文献１参照）。このシステムでは、ＤＶＤプレーヤの電源をオフすると、ＴＶ受像機がアンテナ又はチューナを用いて受信したＴＶ番組を表示する動作モード（以下、ＴＶ番組表示モードという）に自動的に切り替える。
【０００３】
しかしながら、ユーザによっては、ＤＶＤプレーヤの電源をオフしたときに、ＴＶ受像機をＴＶ番組表示モード以外の所望の動作モードに切り替えたいことがある。その場合、上記システムで、ＤＶＤプレーヤの電源をオフした後、ユーザは手動で動作モードを切り替える操作を行う必要があるので使い勝手が悪い。
【０００４】
ところで、特許文献２には、予約処理が完了すると、記録再生装置の指示により、ＴＶ受像機の入力元の機器を元のＴＶ側に切り替えると共に、記録再生装置の電源をオフする処理を行うデジタル機器システムが開示されている。しかしながら、このシステムでは上記問題を解決できない。
【０００５】
また、特許文献３には、映像表示装置の接続状態が検出されなかった場合には、信号切替回路の電源をオフにする再生装置が開示されているが、この再生装置では上記問題を解決できない。
【先行技術文献】
【特許文献】
【０００６】
【特許文献１】再表２００７／０４００８０号公報
【特許文献２】特開２００８−３４９６５号公報
【特許文献３】特開２００７−２７４２９６号公報
【発明の概要】
【発明が解決しようとする課題】
【０００７】
本発明は、上述した問題点を解決するためになされたものであり、再生装置の電源がオン／オフされた際に表示装置を所望の動作モードに自動的に切り替えることができ、ユーザにとって使い勝手の良い映像再生表示システムを提供することを目的とする。
【課題を解決するための手段】
【０００８】
上記目的を達成するために請求項１の発明は、コンテンツを再生可能な再生装置と、この再生装置に接続され、該再生装置によって再生されたコンテンツを表示する表示装置とを含む映像再生表示システムにおいて、前記再生装置は、自装置の電源のオン又はオフを指示するための電源制御ボタンを有し、自装置に各種動作指示を行うための操作手段と、自装置の電源がオンになった旨を通知するための電源オン通知コマンドや、自装置の電源がオフになる旨を通知するための電源オフ通知コマンドを前記表示装置に送信する電源状態通知コマンド送信手段とを備え、前記表示装置は、前記再生装置から送信された前記電源オン通知コマンド及び前記電源オフ通知コマンドを受信するための電源状態通知コマンド受信手段と、前記再生装置によって再生されるコンテンツを自装置に表示するように動作する再生装置映像表示モードを含む複数の動作モードを有し、自装置の動作モードを切り替える動作モード切替手段とを備え、前記再生装置は、ユーザによって前記電源制御ボタンが操作されて自装置の電源がオンされるとき、前記電源状態通知コマンド送信手段を用いて前記電源オン通知コマンドを前記表示装置に送信し、前記表示装置は、前記電源状態通知コマンド受信手段を用いて前記電源オン通知コマンドを受信すると、前記動作モード切替手段を用いて、自装置の動作モードを前記再生装置映像表示モードに切り替え、前記再生装置は、ユーザによって前記電源制御ボタンが操作されて自装置の電源がオフされるとき、前記電源状態通知コマンド送信手段を用いて前記電源オフ通知コマンドを前記表示装置に送信し、前記表示装置は、前記電源状態通知コマンド受信手段を用いて前記電源オフ通知コマンドを受信すると、前記動作モード切替手段を用いて、自装置の動作モードを前記再生装置映像表示モードに切り替える直前の動作モードに切り替えるものである。
【０００９】
請求項２に記載の発明は、コンテンツを再生可能な再生装置と、この再生装置に接続され、該再生装置によって再生されたコンテンツを表示する表示装置とを含む映像再生表示システムにおいて、前記再生装置は、自装置の電源のオン又はオフを指示するための電源制御ボタンを有し、自装置に各種動作指示を行うための操作手段と、自装置の電源がオンになった旨を通知するための電源オン通知コマンドや、自装置の電源がオフになる旨を通知するための電源オフ通知コマンドを前記表示装置に送信する電源状態通知コマンド送信手段とを備え、前記表示装置は、前記再生装置から送信された前記電源オン通知コマンド及び前記電源オフ通知コマンドを受信するための電源状態通知コマンド受信手段と、前記再生装置によって再生されるコンテンツを自装置に表示するように動作する再生装置映像表示モードを含む複数の動作モードを有し、自装置の動作モードを切り替える動作モード切替手段と、前記電源状態通知コマンド受信手段を用いて前記電源オフ通知コマンドを受信したときに、前記動作モード切替手段を用いて切り替える動作モードを記録するための動作モード記録手段とを備え、前記再生装置は、ユーザによって前記電源制御ボタンが操作されて自装置の電源がオンされるとき、前記電源状態通知コマンド送信手段を用いて前記電源オン通知コマンドを前記表示装置に送信し、前記表示装置は、前記電源状態通知コマンド受信手段を用いて前記電源オン通知コマンドを受信すると、前記動作モード切替手段を用いて、自装置の動作モードを前記再生装置映像表示モードに切り替え、前記再生装置は、ユーザによって前記電源制御ボタンが操作されて自装置の電源がオフされるとき、前記電源状態通知コマンド送信手段を用いて前記電源オフ通知コマンドを前記表示装置に送信し、前記表示装置は、前記電源状態通知コマンド受信手段を用いて前記電源オフ通知コマンドを受信すると、前記動作モード切替手段を用いて、自装置の動作モードを、前記動作モード記録手段に記録された動作モードに切り替えるものである。
【００１０】
請求項３に記載の発明は、請求項１又は請求項２に記載の映像再生表示システムにおいて、  前記再生装置と前記表示装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１１】
請求項１の発明によれば、表示装置は、再生装置から送信された電源オン通知コマンドを受信すると自装置の動作モードを再生装置映像表示モードに切り替える。そのため、ユーザは、再生装置の電源をオンした後に、手動で表示装置の動作モードを切り替える必要がなくなるため、使い勝手が良い。
【００１２】
また、表示装置は、再生装置から送信された電源オフ通知コマンドを受信すると、自装置の動作モードを再生装置映像表示モードに切り替える直前の動作モードに切り替える。そのため、ユーザが手動で動作モードを切り替える必要がなしに、自動的に直前の動作モードに切り替るため、使い勝手が良い。
【００１３】
請求項２の発明によれば、表示装置は、電源オフ通知コマンドを受信すると、自装置の動作モードを動作モード記録手段に記録された動作モードに切り替える。そのため、ユーザは、再生装置の電源をオフした後に、表示装置を自動的に所望の動作モードに切り替えることができるため、使い勝手が良い。
【図面の簡単な説明】
【００１４】
【図１】本発明の一実施形態に係るＴＶ受像機と、このＴＶ受像機に接続されたＤＶＤプレーヤとを含む映像再生表示システムを示す概略構成図。
【図２】上記ＴＶ受像機の内部構成を示すブロック図。
【図３】上記ＤＶＤプレーヤの内部構成を示すブロック図。
【図４】上記映像再生表示システムにおける上記ＤＶＤプレーヤの電源をオンする際の手順を示すフローチャート。
【図５】上記映像再生表示システムにおける上記ＤＶＤプレーヤの電源をオフする際の手順を示すフローチャート。
【図６】上記映像再生表示システムにおける上記ＤＶＤプレーヤの電源をオフする際の別の手順を示すフローチャート。
【発明を実施するための形態】
【００１５】
以下、本発明の一実施形態に係る映像再生表示システムについて、図１乃至図３を参照して説明する。図１は、テレビジョン（以下、ＴＶという）受像機（表示装置）２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたＤＶＤプレーヤ（再生装置）３とを含む映像再生表示システム１の概略構成を示す。図２は、ＴＶ受像機２の内部構成を示し、図３は、ＤＶＤプレーヤ３の内部構成を示す。
【００１６】
ＤＶＤプレーヤ３はコンテンツが記録されたＤＶＤディスクｄ（図３参照）を再生可能であり、ＴＶ受像機２は、ＤＶＤプレーヤ３によって再生されたコンテンツの映像及び音声を出力可能である。ＴＶ受像機２及びＤＶＤプレーヤ３は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、それぞれＨＤＭＩ−ＣＥＣ規格に基づくコマンドと、コマンドに対するレスポンスデータとを送受信可能である。
【００１７】
図２に示すように、ＴＶ受像機２は、放送局から放送されるＴＶ放送信号を受信するチューナ２１と、チューナ２１によって受信されたＴＶ放送信号に基づくＴＶ番組等のコンテンツの映像を表示するディスプレイ２２と、コンテンツの音声を出力するスピーカ２３と、ユーザによって操作されるボタン等を有する操作部２４とを備える。また、ＴＶ受像機２は、自装置の筐体外部に露出するように設けられたＨＤＭＩ端子部２５と、各種情報が記録されるメモリ（動作モード記録手段）２６と、ＴＶ受像機２の各部を制御するための制御用マイコン２７とをさらに備える。
【００１８】
ＨＤＭＩ端子部２５には、ＤＶＤプレーヤ３と接続されたＨＤＭＩケーブル４の一端が接続される。メモリ２６には、制御用マイコン２７を動作させるためのプログラム２６ａと、所定の制御コマンドを受信したときの自装置の動作モードの切り替え情報が記録される切替設定情報（動作モード情報）２６ｂとが記録されている。
【００１９】
プログラム２６ａは、再生装置映像表示モードや、ＴＶ番組表示モード等の動作モードを有する。再生装置映像表示モードは、ＤＶＤプレーヤ３から入力されるコンテンツの映像をディスプレイ２２に表示すると共に、このコンテンツの音声をスピーカ２３に出力するように動作する動作モードである。ＴＶ番組表示モードは、チューナ２１を用いて受信したＴＶ番組の映像をディスプレイ２２に表示すると共に、このＴＶ番組の音声をスピーカ２３に出力するように動作する動作モードである。
【００２０】
切替設定情報２６ｂには、自装置の動作モードの自動切替を行うか否かを示す自動切替オン／オフ情報２６ｂ１と、自動的に切り替える動作モードの設定情報である自動切替動作モード情報（動作モード記録手段）２６ｂ２とが記録される。自動切替オン／オフ情報２６ｂ１及び自動切替動作モード情報２６ｂ２は、例えばユーザによる操作部２４の操作によってユーザ所望の設定をすることができる。
【００２１】
具体的には例えば、自動切替動作モード情報２６ｂ２には、ＤＶＤプレーヤ３から後述する電源オン通知コマンドを受信したときに、ＴＶ受像機２を再生装置映像表示モードとして動作させる旨の設定情報や、ＤＶＤプレーヤ３から後述する電源オフ通知コマンドを受信したときに、ＴＶ受像機２をＴＶ番組表示モードとして動作させる、旨の設定情報が記録される。また、自動切替動作モード情報２６ｂ２には、ＤＶＤプレーヤ３から電源オフ通知コマンドを受信したときに、現在の動作モードに切り替える直前の動作モードに切り替って動作する旨の設定情報が記録されてもよい。
を記録する。
【００２２】
制御用マイコン２７は、映像出力部２７ａと、音声出力部２７ｂと、通信部（電源状態通知コマンド受信手段）２７ｃと、動作モード切替部（動作モード切替手段）２７ｄとを有する。
【００２３】
映像出力部２７ａは、チューナ２１によって受信されたＴＶ番組の映像や、ＨＤＭＩケーブル４を介してＤＶＤプレーヤ３から送信されたコンテンツの映像をディスプレイ２２に出力する。音声出力部２７ｂは、チューナ２１によって受信されたＴＶ番組の音声や、ＨＤＭＩケーブル４を介してＤＶＤプレーヤ３から送信されたコンテンツの音声をスピーカ２３に出力する。
【００２４】
通信部２７ｃは、ＤＶＤプレーヤ３に対してＨＤＭＩ−ＣＥＣ規格に基づくコマンド及びレスポンスデータの送受信を行う。具体的には例えば、通信部２７ｃは、ＤＶＤプレーヤ３から送信される、後述する電源オン通知コマンド及び電源オフ通知コマンドを受信する。動作モード切替部２７ｄは、切替設定情報２６ｂの内容に基づいてＴＶ受像機２の動作モードを切り替える。
【００２５】
図３に示すように、ＤＶＤプレーヤ３は、リモコン信号受信部３１と、自装置の筐体外部に露出するように設けられたＨＤＭＩ端子部３２と、各種情報が記録されるメモリ３３と、ＤＶＤディスクｄが装着される光ディスクドライブ３４と、ＤＶＤプレーヤ３の装置各部の制御を行う制御用マイコン３５とを備える。
【００２６】
リモコン信号受信部３１は、電源ボタン（電源制御ボタン）５１を含む複数の操作ボタン（図示せず）を有するリモコン装置（操作手段）５から送信されたリモコン信号を受信する。ユーザは、電源ボタン５１を操作することにより、ＤＶＤプレーヤ３の電源をオン又はオフすることができる。
【００２７】
ＨＤＭＩ端子部３２には、ＴＶ受像機２と接続されたＨＤＭＩケーブル４の他端が接続される。メモリ３３には、制御用マイコン３５を動作させるためのプログラム３３ａが記録されている。光ディスクドライブ３４は、ＴＶ番組等のコンテンツを記録可能なＤＶＤディスクｄを内部に着脱自在であり、内部に装着されたＤＶＤディスクｄからコンテンツの読み出しを行う。
【００２８】
制御用マイコン３５は、再生出力部３５ａと、通信部（電源状態通知コマンド送信手段）３５ｂとを有する。再生出力部３５ａは、光ディスクドライブ３４によってＤＶＤディスクｄから読み出されたコンテンツの再生を行い、再生されたコンテンツの映像信号及び音声信号をＨＤＭＩケーブル４を介してＴＶ受像機２に出力する処理を行う。
【００２９】
通信部３５ｂは、ＴＶ受像機２に対してＨＤＭＩ−ＣＥＣ規格に基づくコマンド及びレスポンスデータの送受信を行う。具体的には例えば、通信部３５ｂは、ユーザによって電源ボタン５１が操作されてＤＶＤプレーヤ３の電源がオンになった旨を通知するための電源オン通知コマンドや、ユーザによって電源ボタン５１が操作されてＤＶＤプレーヤ３の電源がオフになる旨を通知するための電源オフ通知コマンドをＴＶ受像機２に送信する。
【００３０】
次に、映像再生表示システム１において映像ＤＶＤプレーヤ３の電源がオンされる際のＴＶ受像機２の動作について、図４に示すフローチャートを参照して説明する。ここでは、ＴＶ受像機２とＤＶＤプレーヤ３とはＨＤＭＩケーブル４を介して接続されており、相互にＨＤＭＩ−ＣＥＣ規格に基づくコマンドを送受信可能であるものとする。また、ＴＶ受像機２の自動切替オン／オフ情報２６ｂ１はオンに設定され、ＴＶ受像機２の自動切替動作モード情報２６ｂ２には、電源オン通知コマンドを受信したときに、動作モードを再生装置映像表示モードに切り替える旨の設定がされているものとする。また、ＤＶＤプレーヤ３の電源は予めオフにされているものとする。
【００３１】
まず、ユーザによってＤＶＤプレーヤ３のリモコン装置５の電源ボタン５１が操作されると（Ｓ１）、ＤＶＤプレーヤ３の電源がオンされる（Ｓ２）。ここでは、ＤＶＤプレーヤ３の制御用マイコン３５は、ＨＤＭＩ−ＣＥＣ規格に基づくコマンドを送信可能であるため（Ｓ３でＹＥＳ）、通信部３５ｂを用いて電源オン通知コマンドをＴＶ受像機２に送信する（Ｓ４）。
【００３２】
そして、ＴＶ受像機２の制御用マイコン２７は、通信部２７ｃを用いてＤＶＤプレーヤ３から送信された電源オン通知コマンドを受信する（Ｓ５）。そして、制御用マイコン２７は、自動切替オン／オフ情報２６ｂ１がオンであるため（Ｓ６でＹＥＳ）、動作モード切替部２７ｄを用いて動作モードを再生装置映像表示モードに自動的に切り替える（Ｓ７）。これにより、ＴＶ受像機２は、ＤＶＤプレーヤ３から出力されるコンテンツの映像及び音声をディスプレイ２２やスピーカ２３に出力する動作を行うことができる。
【００３３】
一方、上記Ｓ３において、ＤＶＤプレーヤ３がＨＤＭＩ−ＣＥＣ規格に基づくコマンドを送信できない場合（Ｓ３でＮＯ）、上記Ｓ４以降の処理は行わない。また、上記Ｓ６において、自動切替オン／オフ情報２６ｂ１がオフである場合（Ｓ６でＮＯ）、ＴＶ受像機２の制御用マイコン２７は、上記Ｓ７の処理を行わない。
【００３４】
次に、映像再生表示システム１において映像ＤＶＤプレーヤ３の電源がオフされる際のＴＶ受像機２の動作の例について、図５に示すフローチャートを参照して説明する。ここでは、ＴＶ受像機２とＤＶＤプレーヤ３とはＨＤＭＩケーブル４を介して接続されており、相互にＨＤＭＩ−ＣＥＣ規格に基づくコマンドを送受信可能であるものとする。また、ＴＶ受像機２の自動切替オン／オフ情報２６ｂ１はオンに設定され、ＴＶ受像機２の自動切替動作モード情報２６ｂ２には、電源オフ通知コマンドを受信したときに、動作モードをＴＶ番組表示モードに切り替える旨の設定がされているものとする。また、ＤＶＤプレーヤ３の電源は予めオンにされているものとする。
【００３５】
まず、ユーザによってＤＶＤプレーヤ３のリモコン装置５の電源ボタン５１が操作されると（Ｓ１１）、ここでは、ＤＶＤプレーヤ３の制御用マイコン３５は、ＨＤＭＩ−ＣＥＣ規格に基づくコマンドを送信可能であるため（Ｓ１２でＹＥＳ）、通信部３５ｂを用いて電源オフ通知コマンドをＴＶ受像機２に送信する（Ｓ１３）。
【００３６】
次に、ＴＶ受像機２の制御用マイコン２７は、通信部２７ｃを用いてＤＶＤプレーヤ３から送信された電源オフ通知コマンドを受信する（Ｓ１４）。そして、制御用マイコン２７は、自動切替オン／オフ情報２６ｂ１がオンであるため（Ｓ１５でＹＥＳ）、動作モード切替部２７ｄを用いて動作モードをＴＶ番組表示モードに自動的に切り替え（Ｓ１６）、チューナ２１を用いて受信したＴＶの映像及び音声をディスプレイ２２やスピーカ２３に出力する。そして、ＤＶＤプレーヤ３は電源をオフする（Ｓ１７）。
【００３７】
一方、上記Ｓ１２において、ＤＶＤプレーヤ３がＨＤＭＩ−ＣＥＣ規格に基づくコマンドを送信できない場合（Ｓ１２でＮＯ）、上記Ｓ１３〜Ｓ１６の処理を行なわない。また、上記Ｓ１５において、自動切替オン／オフ情報２６ｂ１がオフである場合（Ｓ１５でＮＯ）、ＴＶ受像機２の制御用マイコン２７は、上記Ｓ１６の処理を行わない。
【００３８】
次に、映像再生表示システム１において映像ＤＶＤプレーヤ３の電源がオフされる際のＴＶ受像機２の別の動作の例について、図６に示すフローチャートを参照して説明する。本動作例では、ＴＶ受像機２の自動切替動作モード情報２６ｂ２には、電源オフ通知コマンドを受信したときに、動作モードを、現在の動作モードに切り替える直前の動作モードに切り替える旨の設定がされている。これ以外は、図５に示したＴＶ受像機２及びＤＶＤプレーヤ３と同様である。具体的には、自動切替動作モード情報２６ｂ２には、現在の動作モードが再生装置映像表示モードであり、直前の動作モードがＴＶ番組表示モードである旨の設定がされているものとする。
【００３９】
Ｓ２１〜Ｓ２４、Ｓ２７の処理は、図５に示したＳ１１〜Ｓ１４、Ｓ１７の処理と同様であるため、説明を省略する。Ｓ２４の処理の後、ＴＶ受像機２の制御用マイコン２７は、自動切替オン／オフ情報２６ｂ１がオンであるため（Ｓ２５でＹＥＳ）、動作モード切替部２７ｄを用いて動作モードを、現在の動作モードに切り替わる直前の動作モード（ここでは、ＴＶ番組表示モード）に自動的に切り替え（Ｓ２６）、チューナ２１を用いて受信したＴＶの映像及び音声をディスプレイ２２やスピーカ２３に出力する。
【００４０】
上述したように、本実施形態に係る映像再生表示システム１によれば、ＴＶ受像機２は、ＤＶＤプレーヤ３から送信された電源オン通知コマンドを受信すると、自装置の動作モードを再生装置映像表示モードに自動的に切り替えることができる。そのため、ユーザは、ＤＶＤプレーヤ３の電源をオンした後に、手動でＴＶ受像機２の動作モードを切り替える必要がなくなるため、使い勝手が良い。
【００４１】
また、ＴＶ受像機２は、ＤＶＤプレーヤ３から送信された電源オフ通知コマンドを受信すると、自装置の動作モードを、現在の動作モードに切り替わる直前の動作モード、例えばＴＶ番組表示モードに切り替えることができる。そのため、ユーザが手動でＴＶ受像機２の動作モードを切り替える必要がなく、自動的に直前の動作モードに切り替るため、使い勝手が良い。
【００４２】
また、ＴＶ受像機２は、電源オフ通知コマンドを受信すると、自装置の動作モードを自動切替動作モード情報２６ｂ２に設定された動作モードに自動的に切り替える。そのため、ユーザは、ＤＶＤプレーヤ３の電源をオフした後に、ＴＶ受像機２を自動的に所望の動作モードに切り替えることができるため、使い勝手が良い。
【００４３】
また、ＴＶ受像機２とＤＶＤプレーヤ３とは、ＣＥＣ規格に従ってコマンドの送受信を行うので、独自プロトコルに対応した専用機器や専用ソフトウェア等の導入コストをかける必要がない。従って、ＴＶ受像機２とＤＶＤプレーヤ３とを含む映像再生表示システム１の製造コストを抑制することができる。
【００４４】
なお、本発明は、上記実施形態の構成に限られず、発明の趣旨を変更しない範囲で種々の変形が可能である。例えば、上記の実施形態において、電源オフ通知コマンドを受信した場合、ＴＶ受像機２がスタンバイモードに自動的に切り替ってもよい。また、上記実施形態では、請求項に示す再生装置がＤＶＤプレーヤ３である例を示したが、ＨＤＭＩ−ＣＥＣ規格に対応したＡＶ機器であればよい。また、上記実施形態では、請求項に示す表示装置がＴＶ受像機２である例を示したが、ＨＤＭＩ−ＣＥＣ規格に対応したモニタ装置であればよい。
【符号の説明】
【００４５】
１  映像再生表示システム
２  ＴＶ受像機（表示装置）
３  ＤＶＤプレーヤ（再生装置）
５  リモコン装置（操作手段）
２６  （ＴＶ受像機の）メモリ（動作モード記録手段）
５１  電源ボタン（電源制御ボタン）
２６ｂ  （ＴＶ受像機の）切替設定情報（動作モード情報）
２７ｃ  （ＴＶ受像機の）通信部（電源状態通知コマンド受信手段）
２７ｄ  （ＴＶ受像機の）動作モード切替部（動作モード切替手段）
３５ｂ  （ＤＶＤプレーヤの）通信部（電源状態通知コマンド送信手段）
（ＴＶ受像機の）再生装置映像表示モード
２６ｂ２  （ＴＶ受像機の）自動切替動作モード情報（動作モード記録手段）
【図１】
2011086992.tif 000003
【図２】
2011086992.tif 000004
【図３】
2011086992.tif 000005
【図４】
2011086992.tif 000006
【図５】
2011086992.tif 000007
【図６】
2011086992.tif 000008